【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
ポリアミド組成物であって、
ａ）３０質量％〜９９．９質量％の、成分Ａ）としての、脂肪族ポリアミドＡ１）及び脂肪族コポリアミド又はターポリアミドＡ２）から構成されるポリアミド混合物であって、Ａ１）のＡ２）に対する質量比が５５：４５〜９５：５であるポリアミド混合物、
ｂ）０質量％〜６０質量％の、成分Ｂ）としてのガラス繊維、
ｃ）０質量％〜２質量％の、成分Ｃ）としてのニグロシン、
ｄ）０．１質量％〜１０質量％の、成分Ｄ）としての、２個を超えるヒドロキシル基及び２０００未満の数平均分子量（Ｍｎ）を含み、グリセロール、トリメチロールプロパン、２，３−ジ−（２’−ヒドロキシエチル）シクロヘキサン−１−オール、ヘキサン−１，２，６−トリオール、１，１，１−トリス（ヒドロキシメチル）エタン、３−（２’−ヒドロキシエトキシ）プロパン−１，２−ジオール、３−（２’−ヒドロキシプロポキシ）プロパン−１，２−ジオール、２−（２’−ヒドロキシエトキシ）ヘキサン−１，２−ジオール、６−（２’−ヒドロキシプロポキシ）ヘキサン−１，２−ジオール、１，１，１−トリス−［（２’−ヒドロキシエトキシ）メチル］エタン、１，１，１−トリス−［（２’−ヒドロキシプロポキシ）メチル］プロパン、１，１，１−トリス−（４’−ヒドロキシフェニル）エタン、１，１，１−トリス−（ヒドロキシフェニル）プロパン、１，１，３−トリス−（ジヒドロキシ−３−メチルフェニル）プロパン、１，１，４−トリス（ジヒドロキシフェニル）ブタン、１，１，５−トリス（ヒドロキシフェニル）−３−メチルペンタン、ジトリメチロプロパン、トリメチロールプロパンエトキシレート、トリメチロールプロパンプロポキシレート、ペンタエリスリトール、ジペンタエリスリトール、トリペンタエリスリトール、シクロデキストリン、Ｄ−マンノース、グルコース、ガラクトース、スクロース、フルクトース、キシロース、アラビノース、Ｄ−マンニトール、Ｄ−ソルビトール、Ｄ−又はＬ−アラビトール、キシリトール、イジトール、タリトール、アリトール、アルトリトール、ギリトール、エリスリトール、トレイトール及びＤ−グロノ−γ−ラクトンから選択される、少なくとも１種の多価アルコール、
ｅ）０質量％〜２０質量％の、成分Ｅ）としてのさらなる添加剤
を含み、
前記各量の合計は、組成物の全体に基づいて１００質量％であり、前記脂肪族ポリアミドＡ１）が、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択され、前記脂肪族コポリアミドＡ２）が、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される２種又は３種のポリアミドのモノマーから構成される、ポリアミド組成物。
【請求項２】
前記成分Ｄ）が、ペンタエリスリトール、ジペンタエリスリトール、トリペンタエリスリトール、ジ−トリメチロールプロパン、Ｄ−マンニトール、Ｄ−ソルビトール及びキシリトールから選択される、請求項１に記載のポリアミド組成物。
【請求項３】
前記脂肪族ポリアミドＡ１）が、ＰＡ ６、ＰＡ ６６及びそれらの混合物から選択される、請求項１に記載のポリアミド組成物。
【請求項４】
前記脂肪族コポリアミドＡ２）がＰＡ ６／ＰＡ ６６コポリマーである、請求項１から３のいずれか一項に記載のポリアミド組成物。
【請求項５】
０．１質量％〜２質量％のニグロシンが成分Ｃ）として存在する、請求項１から４のいずれか一項に記載のポリアミド組成物。
【請求項６】
１６０℃〜３４０℃の範囲の温度に加熱しながら成分を混合することによって、請求項１から５のいずれか一項に記載のポリアミド組成物を製造する方法。
【請求項７】
請求項１から６のいずれか一項に記載のポリアミド組成物を、溶接可能な成形物又は溶接された成形品の製造に使用する方法。
【請求項８】
請求項１から６のいずれか一項に記載のポリアミド組成物から構成される溶接可能な成形物又は溶接された成形品。
【請求項９】
前記ポリアミド組成物から構成される少なくとも２個の成形物の溶接によって製造される成形品の熱エージング後の溶接シーム強度を増加させるために、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される少なくとも１種のポリアミド及びＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される２種又は３種のポリアミドのモノマーから構成される少なくとも１種のコポリアミドを含むポリアミド組成物に、２個を超えるヒドロキシル基及び２０００未満の数平均分子量（Ｍｎ）を有する多価アルコールを使用する方法。
【請求項１０】
少なくとも２個の成形物の溶接によってＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される少なくとも１種のポリアミド及びＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される２種又は３種のポリアミドのモノマーから構成される少なくとも１種のコポリアミドを含むポリアミド組成物から製造される成形品の熱エージング後の溶接シーム強度を増加させる方法であって、前記成形物及び前記成形品の製造前に、前記ポリアミド組成物が、前記ポリアミド組成物の全体に基づいて０．１質量％〜１０質量％の、２個を超えるヒドロキシル基及び２０００未満の数平均分子量（Ｍｎ）を有し、グリセロール、トリメチロールプロパン、２，３−ジ−（２’−ヒドロキシエチル）シクロヘキサン−１−オール、ヘキサン−１，２，６−トリオール、１，１，１−トリス（ヒドロキシメチル）エタン、３−（２’−ヒドロキシエトキシ）プロパン−１，２−ジオール、３−（２’−ヒドロキシプロポキシ）プロパン−１，２−ジオール、２−（２’−ヒドロキシエトキシ）ヘキサン−１，２−ジオール、６−（２’−ヒドロキシプロポキシ）ヘキサン−１，２−ジオール、１，１，１−トリス−［（２’−ヒドロキシエトキシ）メチル］エタン、１，１，１−トリス−［（２’−ヒドロキシプロポキシ）メチル］プロパン、１，１，１−トリス−（４’−ヒドロキシフェニル）エタン、１，１，１−トリス−（ヒドロキシフェニル）プロパン、１，１，３−トリス−（ジヒドロキシ−３−メチルフェニル）プロパン、１，１，４−トリス（ジヒドロキシフェニル）ブタン、１，１，５−トリス（ヒドロキシフェニル）−３−メチルペンタン、ジトリメチロプロパン、トリメチロールプロパンエトキシレート、トリメチロールプロパンプロポキシレート、ペンタエリスリトール、ジペンタエリスリトール、トリペンタエリスリトール、シクロデキストリン、Ｄ−マンノース、グルコース、ガラクトース、スクロース、フルクトース、キシロース、アラビノース、Ｄ−マンニトール、Ｄ−ソルビトール、Ｄ−又はＬ−アラビトール、キシリトール、イジトール、タリトール、アリトール、アルトリトール、ギリトール、エリスリトール、トレイトール及びＤ−グロノ−γ−ラクトンから選択される、少なくとも１種の多価アルコールと混合される、方法。
【請求項１１】
前記ポリアミド組成物が請求項１から５のいずれか一項に定義されているように構成される、請求項９に記載の使用方法又は請求項１０に記載の方法。
【請求項１２】
前記ポリアミド組成物における前記少なくとも１種のポリアミドと前記少なくとも１種のコポリアミドとの混合物の結晶化点が、前記少なくとも１種のポリアミド及び前記少なくとも１種のコポリアミドの結晶化点より低い、請求項１から５のいずれか一項に記載のポリアミド組成物又は請求項９に記載の使用方法又は請求項１０に記載の方法。